(57)【特許請求の範囲】
【請求項１】
電源から負荷への給電ラインに介挿され、一つの閉指示信号の供給に応答して複数の給電ラインに個別に通電し、該閉指示信号の供給が停止すると通電を個別に遮断する複式スイッチ手段；および、該複式スイッチ手段への閉指示信号の供給を遮断する遮断手段；を備えるインターロック回路を有する給電装置において、
前記複式スイッチ手段を介して前記電源に接続される各給電ラインに接続される各負荷量に対応した各参照値を設定する参照値設定手段；
前記複式スイッチ手段への閉指示信号の供給の開始からの、それに応答した該複式スイッチ手段による各給電ラインへの各通電の遅延を検出する遅延検出手段；および、
前記参照値に対する検出した遅延の長短に対応した報知をする報知手段；
を備えることを特徴とするインターロック回路を有する給電装置。
【請求項２】
電源から負荷への給電ラインに介挿され、一つの閉指示信号の供給に応答して複数の給電ラインに個別に通電し、該閉指示信号の供給が停止すると通電を個別に遮断する複式スイッチ手段；および、該複式スイッチ手段への閉指示信号の供給を遮断する遮断手段；を備えるインターロック回路を有する給電装置において、
前記複式スイッチ手段を介して前記電源に接続される各給電ラインに接続される各負荷量に対応した各参照値を設定する参照値設定手段；
前記複式スイッチ手段への閉指示信号の供給の停止からの、それに応答した該複式スイッチ手段による各給電ラインへの各通電の停止の遅延を検出する遅延検出手段；および、
前記参照値に対する検出した遅延の長短に対応した報知をする報知手段；
を備えることを特徴とするインターロック回路を有する給電装置。
【請求項３】
前記報知手段は、各給電ラインの各遅延の間の順番が変わったときそれに対応付けた報知をする、請求項１又は２に記載の給電装置。
【請求項４】
前記遮断手段は、外力の作用から非作用への切換りにより開から閉に又はその逆に切換わる電気接片を有する電気スイッチである、請求項１乃至３のいずれか１つに記載のインターロック回路を有する給電装置。
【請求項５】
感光体に静電潜像を形成し、該静電潜像を現像装置でトナー像に顕像化し、該トナー像を、直接に又は中間媒体を介して間接に、転写紙に転写する画像形成装置において、
該装置内の複数の給電ラインに、請求項１〜４のいずれか１つに記載の給電装置を装備したことを特徴とする画像形成装置。
【請求項６】
装置は更に、原稿の画像を読取って読取り画像データを発生する原稿スキャナ；および、該読取り画像データを、前記感光体に静電潜像を形成するための画像データに処理する手段；を備える、請求項５に記載の画像形成装置。
【発明の詳細な説明】
【０００１】
【発明の属する技術分野】
本発明は、インターロック回路を有する給電装置およびそれを用いる画像形成装置に関する。具体的には、これに限定する意図ではないが、事務機器などのオペレータ保護の為に設けられたインターロック回路に関し特にインターロック回路に用いられている電気リレーの接点異常の検知に関する。
【０００２】
【従来技術】
例えば事務機器においては従来より、インターロック回路が用いられており、例えば、その機器の前扉などの開閉にリンクするインターロックスイッチなどを用いて、モータなどの負荷駆動回路装置のＤＣ電源電圧の開閉を行うことで、前扉などの開のときにオペレータに危険な動作状態が発生しないようにしている。これにより、仮に機器の電源が投入されている状態であっても、前扉などが開放されていれば、負荷の駆動電圧が印加されず、すなわち負荷が動くことはなく、期せずして生じる事故を防止することができることになる。
【０００３】
一般的にこの構成を実現させるためには、インターロック回路として開閉したい電源電圧ラインを、その扉まで配廻（配線）していき、その扉の開閉メカ機構により電気回路を開閉するインターロックスイッチに、配廻した電源電圧ラインをシリアルに接続している。
【０００４】
しかしながらこの方法の場合、インターロック回路として遮断したい負荷電流が大きいと、それを扉近くまで迂回させることになり、例えば負荷電流の通電開始時や遮断時に迂回路が電磁ノイズを放射し、外部に対するノイズ放射が増えてＥＭＣの観点からあまり望ましいものではない。また、インターロック機構としての扉類が複数存在する場合、また、遮断したい回路が複数存在する場合、それらは、その組み合わせ分スイッチが必要となる。例えば、前ドア，左ドア，右ドアとあり、どれが開いても回路を遮断でき、遮断回路として例えば５Ｖ系，２４Ｖ系１，２４Ｖ系２と３系統あった場合、３×３＝９個ものスイッチが必要となってくる。
【０００５】
このため上記以外の方法として、負荷系の電源電圧ラインの遮断に電気リレーを用いて、そのリレーの駆動回路を、インターロックスイッチ（ドアスイッチ）で遮断させる方法もある。この場合、上記の遮断箇所３箇所、電源３系統の例で示すと、２４Ｖ系１をドアスイッチにて開閉できる構成とし、更にリレー駆動回路も割り当てる。そしてその駆動されるリレーとして、２回路入りのものを用い、ａ接片側を５Ｖ系、ｂ接片側を２４Ｖ系２として割り当てる。この構成によれば、２４Ｖ系１（リレー駆動回路）を開閉する為のドアスイッチスイッチが３個と、２４系２，５Ｖを開閉するリレー１個という、少ない部品構成にて、どこのドアが開いても、３系統の電源全てを遮断できるインターロック回路が実現出来ることになる。なお、この場合には、３個のドアスイッチを直列に接続して、２４Ｖ系１とリレーの電気コイルの間に介挿する。なおもちろん、リレー駆動の電源はインターロック電圧（２４Ｖ系１，２４Ｖ系２，５Ｖ）に限定する必要はない。
しかしながら一般的に、導体接片が開閉するスイッチ，リレーといった回路開閉部品では、接片が閉じる際、負荷側に設けられた容量性負荷に突入電流が流れ込み、この突入電流によりアーク等が発生し、接点が溶着するという問題がある。半導体スイッチを用いるスイッチ回路でも突入電流によって、半導体スイッチが動作不良あるいは破壊に至ることもある。特にリレーの場合、一般的に同じ電流容量のスイッチと比較すると、突入電流に対する特性が低いものが多い。そのため、より突入電流を押さえる検討が種々行われてきた。
【０００６】
例えば、特開２０００−２１５７７２号公報には、リレーで開閉する給電ラインに半導体スイッチを介挿して、給電ラインを閉じるときにはまずリレーの電気コイルに通電してその接片を閉じて、遅延駆動回路によって所定の遅れ時間後に半導体スイッチをオンにすることが提示されている。これによれば、リレーがオン（閉成）するときにリレー接点には電流が流れないので、溶着を生じにくい。
【０００７】
【発明が解決しようとする課題】
インターロックの回路開閉部品の接点を保護するといった観点で、突入電流自体を発生させない方法、突入電流を抑制する方法など、いろいろ検討されている。
【０００８】
例えば、前者の突入電流自体を発生させない方法としては、インターロック用リレーの対処例として、前記特開２０００−２１５７７２号公報記載の技術が挙げられ、また後者の抑制の方法としては、電流制限回路を付加したり等、公知の技術は多く発表されており、また負荷容量を押さえるというのも一つの方法である。
【０００９】
しかしながらこれら従来の方法は、「突入電流を押さえているから接点に異常は発生するはずがない、接点溶着は発生しない」という前提での対処方法であり、突入電流に起因しない接点異常のことは考慮されていない。
【００１０】
例えば、シリコンオイルといった不純物が接点部分に混入した為に接点が閉じなくなったり、また、何らかの負荷の異常が起こったために予期していない突入電流が増大し、結果として接点の溶着を招いたり等の場合である。後者の例の場合、特開２０００−２１５７７２号公報記載の技術のように、回路上突入電流を全く発生しない対処をしていれば問題とならないが、付加回路を持っている分コスト的に上がってしまう問題もある。
【００１１】
オペレータ保護の為のインターロック回路では、異常がないようにするのはもちろんであるが、異常があった場合でも、オペレータに危険な動作状態が発生しないようになっているのが望ましいといえる。
【００１２】
ところでインターロック用電気リレーを用いる場合、該電気リレーに通電するインターロックスイッチが開き、これにより電気リレーがオンからオフに切換る時、リレー接片の開が遅れることがある。例えば軽い接点溶着の場合は電気リレーの接片の閉から開への切換りの遅延が大きくなる。重度の接点溶着では遅延が無限になる。不純物が接点部分に付着するとスイッチ開から閉への切換りの遅延が大きくなるあるいは無限になる。したがつて遅延量を監視することにより、スイッチ手段の動作不良又はその傾向を把握出来る。
【００１３】
しかしながら、リレー接片が開くタイミングというのは、接点移転具合に起因して変化するが、それ以外にも、接続された負荷の状態によっても変化するものである。例えば、無通電時と大電流通電時では、大電流通電時の方が遅く開く。これは、電流を流しながら接片を離そうとしても、放電現象が起こってしまうので、その間電流は継続し、見かけ上接片は開いていないことになるからである。この現象は通電電流値が大きいほど顕著となる。
【００１４】
また、インターロック用電気リレーに通電するインターロックスイッチが閉じ、これにより電気リレーがオフからオンに切換る時のリレー接片の閉の遅れは、接点移転具合に起因して変化するが、それ以外にも、接続された負荷の状態によっても変化するものである。例えば、容量性負荷の有り無しでは、有りの方がリレー接片の閉の遅れが短い。これは、容量性負荷があった場合、突入電流が流れることになり、電流を流そうという接点状態では、接片が近づいてきたとき、完全に接触する前に、放電現象が起こってしまうので、その間電流通電が始まってしまい、見かけ上接片はＯＮすることになるからである。この現象は通電電流値が大きいほど、すなわち容量性負荷が大きいほど顕著になる。
【００１５】
本発明は、閉指示信号に応答して給電ラインを通電とし閉指示信号が消えると遮断するスイッチ手段、および、該スイッチ手段への閉指示信号を遮断する手段、を備えるインターロック回路を有する給電装置あるいはそれを用いる画像形成装置において、
該スイッチ手段の動作不良あるいはその傾向を検出することを第１の目的とし、この検出精度を高くすることを第２の目的とし、インターロック回路の電気リレーの接片の動作不良を早期に検出することを第３の目的とし、そして、これらを自動的に行うことおよび動作不良を自動報知することを、それぞれ第４および第５の目的とする。
【００１６】
【課題を解決するための手段】
（１）電源から負荷への給電ラインに介挿され、一つの閉指示信号の供給に応答して複数の給電ラインに個別に通電し、閉指示信号の供給が停止すると通電を個別に遮断する複式スイッチ手段(86)；および、該複式スイッチ手段(86)への閉指示信号の供給を遮断する遮断手段(73)；を備えるインターロック回路を有する給電装置において、
前記複式スイッチ手段(86)を介して前記電源に接続される各給電ラインに接続される各負荷量に対応した各参照値(T1s,T2s)を設定する参照値設定手段(51)；
前記複式スイッチ手段(86)への閉指示信号の供給の開始からの、それに応答した該複式スイッチ手段(86)による各給電ラインへの各通電の遅延(T1,T2)を検出する遅延検出手段(51)；および、
前記参照値(T1s,T2s)に対する検出した遅延(T1,T2)の長短に対応した報知をする報知手段(51,20)；
を備えることを特徴とするインターロック回路を有する給電装置（第１実施例：図５）。
【００１７】
（２）電源から負荷への給電ラインに介挿され、一つの閉指示信号の供給に応答して複数の給電ラインに個別に通電し、該閉指示信号の供給が停止すると通電を個別に遮断する複式スイッチ手段(86)；および、該複式スイッチ手段(86)への閉指示信号の供給を遮断する遮断手段(73)；を備えるインターロック回路を有する給電装置において、
前記複式スイッチ手段(86)を介して前記電源に接続される各給電ラインに接続される各負荷量に対応した各参照値を設定する参照値設定手段(51)；
前記複式スイッチ手段(86)への閉指示信号の供給の停止からの、それに応答した該複式スイッチ手段(86)による各給電ラインへの各通電の停止の遅延を検出する遅延検出手段(51)；および、
前記参照値に対する検出した遅延の長短に対応した報知をする報知手段；
を備えることを特徴とするインターロック回路を有する給電装置（第３実施例：図９）。
【００１８】
なお、理解を容易にするためにカッコ内には、図面に示し後述する実施例の対応要素又は対応事項の記号を、参考までに付記した。以下も同様である。
【００１９】
上記（１）及び（２）によれば、遅延検出手段(51)が検出する遅延が、スイッチ手段(86)の動作不良の傾向に対応する。遅延が大きいほど動作不良である可能性が高く、例えば軽い接点溶着の場合はスイッチ閉から開への切換りの遅延が大きくなる。重度の接点溶着では遅延が無限になる。不純物が接点部分に付着するとスイッチ開から閉への切換りの遅延が大きくなるあるいは無限になる。したがつて遅延量を監視することにより、スイッチ手段の動作不良又はその傾向を把握出来る。
【００２０】
スイッチ手段(86)の閉から開への切換り時に、電源に接続される負荷が大きい場合、閉から開への切換りの遅れが大きく、したがって参照値を長くとり、負荷の小さい場合は、切換りの遅れが小さいので参照値を短くとるといった対応が可能となる。あるいは、スイッチ手段(86)の開から閉への切換り時に、電源に接続される負荷が大きい場合、開から閉への切換りの遅れが小さく、したがって参照値を短くとり、負荷の小さい場合は、切換りの遅れが大きいので参照値を長くとるといった対応が可能となる。何れの態様でも、より正確に接点移転の状況を把握出来る。
【００２１】
遮断手段(73)たとえばドアスイッチの開閉によりＯＦＦ／ＯＮを行いたい複数系統の電源電圧に対し、複数系統のスイッチ手段例えば電気リレーを用いるのではなく、１系統をドアスイッチでＯＦＦ／ＯＮし、その１系統で動作させる１つの複式電気リレーにより、残りの複数系統をＯＦＦ／ＯＮする構成である。該複式電気リレーは、２接点とそれらの開閉接片とのスイッチ組体を複数組そしてそれらの開閉接片を同時に開閉駆動する１個の電気コイルを含む。仮に、ドア開閉箇所が３カ所あった場合３個のドアスイッチを直列接続して前記１系統の電源電圧と前記複式電気リレーの電気コイルとの間に介挿し、各スイッチ組体を残りの複数系統の各電源電圧ラインに介挿する。この構成により、１つの電気リレーにより複数系統の各電源電圧ラインのＯＦＦ／ＯＮが可能となり、また、複数系統の電源電圧ライン全てをドア近くまで配廻していたのが、１系統のみの配廻しですむことになる。
【００２２】
複式スイッチ手段(86)例えば前記複式電気リレーの動作不良が、複数給電ラインの開閉に関して同時に現れることは、まれであり、大抵の場合、動作不良の進行具合に差がでてくるとか、１つのみが動作不良になることになる。このとき、給電ライン間で動作遅延の変化に差が発生することになる。
【００２３】
したがって、遅延検出手段(51)が検出する各給電ラインの開閉切換り遅延の変化を個別に監視することにより、各系統の動作不良の発生を個別に知ることができ、また、それらの遅延の変化あるいは前後順の変化を監視することにより、スイッチ手段(86)の動作不良を知ることができる。負荷量に対応して参照値を設定するので、このような動作不良をより正確に把握出来る。
【００２４】
【発明の実施の形態】
（３）前記報知手段(51,20)は、各給電ラインの各遅延の間の順番が変わったときそれに対応付けた報知をする、上記（１）又は（２）の給電装置。
【００２５】
すなわち複数回路あるリレーにおいて、その負荷状態によって、接片のＯＦＦするまでのそれぞれの時間を考慮し、あらかじめ想定したシーケンス通りに動作するかを監視することで、ある程度接点が移転した状態に限らず、単一の回路のみであるが、移転の起こりはじめの異常状態を検知することが可能となる。これより、上記（１）又は（２）の形態の遅延のずれの正確な検知も実現しつつ、異常の兆候が現れる初期の段階での検知が可能となる。
【００２６】
（４）前記遮断手段(73)は、外力の作用から非作用への切換りにより開から閉に又はその逆に切換わる電気接片を有する電気スイッチである。例えばドア又はカバーの開閉によって開閉されるドアスイッチである、上記（１）乃至（３）のいずれか１つに記載の給電装置。
【００２７】
これによれば、オペレータの行為によって電気スイッチに外力が作用すると該電気スイッチの開閉が切換り、これによって、前記スイッチ手段(86)例えば電気リレーの開閉が切換る。遅延検出手段(51)が検出する遅延量を監視することにより、スイッチ手段(86)の動作不良又はその傾向を把握出来る。
【００２８】
（４ａ）前記複式スイッチ手段(86)は、複数の給電ラインのそれぞれにそれぞれが介挿された複数の電気接点にそれぞれが接離する複数の電気接片を同時に接駆動又は離駆動する電気コイルを含む複式電気リレー(86)である。
【００２９】
これによれば、遅延検出手段(51)が検出する遅延量を監視することにより、複式電気リレー(86)の動作不良又はその傾向を把握出来る。
【００３０】
（５）感光体(114)に静電潜像を形成し、該静電潜像を現像装置(120)でトナー像に顕像化し、該トナー像を、直接に又は中間媒体を介して間接に、転写紙に転写する画像形成装置において、
該装置内の複数の給電ラインに、請求項１〜４のいずれか１つに記載の給電装置を装備したことを特徴とする画像形成装置。
【００３１】
これによれば、該給電装置の遅延検出手段(51)が、画像形成装置のドア又は前カバーの開／閉の切換りに応答して、その切換りから電気リレー(86)の電気接片(a,b)の接離の切換りまでの遅延を自動的に検出する。この遅延の程度は、電気リレー(86)の動作不良の傾向に対応する。電気リレー(86)が閉から開に切換えられる時には、遅延が大きいほど動作不良である可能性が高く、例えば軽い接点溶着の場合はスイッチ閉から開への切換りの遅延が大きくなる。重度の接点溶着では遅延が無限になる。不純物が接点部分に付着するとスイッチ開から閉への切換りの遅延が大きくなるあるいは無限になる。したがつて遅延量を監視することにより、電気リレー(86)の動作不良又はその傾向を把握出来る。
【００３２】
電気リレー(86)の閉から開への切換り時に、電源に接続される負荷が大きい場合、閉から開への切換りの遅れが大きく、したがって参照値を長くとり、負荷の小さい場合は、切換りの遅れが小さいので参照値を短くとるといった対応が可能となる。あるいは、電気リレー(86)の開から閉への切換り時に、電源に接続される負荷が大きい場合、開から閉への切換りの遅れが小さく、したがって参照値を短くとり、負荷の小さい場合は、切換りの遅れが大きいので参照値を長くとるといった対応が可能となる。何れの態様でも、より正確に接点移転の状況を把握出来る。
【００３３】
（６）装置は更に、原稿の画像を読取って読取り画像データを発生する原稿スキャナ；および、該読取り画像データを、前記感光体に静電潜像を形成するための画像データに処理する手段；を備える、上記（５）の画像形成装置。
【００３４】
これによれば、デジタル複写装置において、上記（５）の作用，効果が同様に得られる。
【００３５】
本発明の他の目的および特徴は、図面を参照した以下の実施例の説明により明らかになろう。
【００３６】
【実施例】
−第１実施例−
図１に本発明の１実施例の複合機能複写機の外観を示す。この複合機能複写機は、大略で、自動原稿送り装置〔ＡＤＦ〕３０と、操作部２０と、カラースキャナ１０と、カラープリンタ１００と、中継ユニット３２と、ステープラ及び作像された用紙を大量に積載可能なシフトトレイ付きのフィニッシャ３４と、両面反転ユニット３３と、給紙バンク３５と、大容量給紙トレイ３６及び１ビン排紙トレイ３１、の各ユニットで構成されている。
【００３７】
図２に、カラープリンタ１００の構成を示す。１０１は可撓性の感光体ベルトであり、感光体ベルト１０１は、回動ローラ１０２，３間に架設され、回動ローラ１０２の回転駆動により図中矢印Ａ方向（時計方向）に搬送される。図中１０４は、感光体ベルト１０１表面を均一に帯電する帯電チャージャ、図中１０５は、像書込みユニットであるレーザ露光装置である。また、図中１０６はカラー現像装置であり、１０６ａはマゼンタ、１０６ｂはシアン、１０６ｃはイエロー、１０６ｄは黒現像ユニットである。
【００３８】
更に、図中１０９は中間転写ベルトであり、中間転写ベルト１０９は回動ローラ１１０−１１２に架設され、回動ローラ１１０の回転駆動により図中矢印Ｂ方向（反時計方向）に搬送される。感光体ベルト１０１と、中間転写ベルト１０９は、感光体ベルト１０１の無記号の回動ローラ部で接触している。該接触部の中間転写ベルト１０９側には、導電性を有するバイアスローラ１１３が、中間転写ベルト１１０裏面に所定の条件で接触している。
【００３９】
感光体ベルト１０１は帯電チャージャ１０４により一様に帯電された後、レーザ露光装置１０５による、画像記録信号で変調されたレーザ光の走査により、露光される。これにより感光体ベルト１０１上に静電潜像が形成される。ここで、レーザ光を変調する画像記録信号は、所望のフルカラー画像をマゼンタ，シアン，イエロー、及び黒（Ｂｋ）の色情報に分解した、各色（単色）宛てのものであり、１色宛ての静電潜像の形成と、現像装置１０６ａ−１０６ｄの中の該色宛のものによる現像が、色数分（例えばマゼンタ，シアン，イエロー、及び黒、計４回）繰返される。現像により現われた顕像（トナー像）は、それぞれ中間転写ベルト９に重ね合わせ転写される。
【００４０】
即ち、図中矢印Ａ方向に回転する感光体ベルト１上に形成される各単色画像（トナー像）は、感光体ベルト１０１と同期して図中矢印Ｂ方向に回転する中間転写ベルト１０９上に、マゼンタ，シアン，イエロー、及び黒の単色毎に、バイアスローラ１１３に印加された所定の転写バイアスにより順次重ね転写される。中間転写ベルト１０９上に重ね合わされたマゼンタ，シアン，イエロー、及び黒の画像は、給紙台１１６の給紙カセット１１６ａから給紙ローラ１１７，搬送ローラ対１１８ａ，１１８ｂ、レジストローラ対１１９ａ，１１９ｂを経て転写ローラ１１４へ搬送された転写紙上に一括転写される。転写終了後、転写紙上のトナー像は定着装置１２０により転写紙に定着（加熱圧着）される。これによりフルカラー画像が完成し、転写紙は、排紙ローラ対１２１ａ，１２１ｂを経て排紙スタック部１２２に排出される。
【００４１】
なお、図中１０７は、感光体ベルト１０１に常時当接し、感光体ベルト１０１上のトナーを拭い取るクリーニングブレード、図中１１５は、中間転写ベルト１０９のクリーニング装置で、該クリーニング装置１１５のクリーニングブラシ１１５ａは、画像形成動作中には中間転写ベルト１１０表面から離間した位置に保持され、形成像が上述の転写紙上に転写された後に中間転写ベルト１１０表面に当接される。
【００４２】
また、感光体ベルト１０１，帯電チャージャ１０４，中間転写ベルト１０９，クリーニング装置１０７，１１５は、プロセスカートリッジに一体的に組付けられてユニット化されている。
【００４３】
１０８が、感光体ベルト１０１上のトナー付着量を検出するためのトナー付着量センサである。今回使用したトナー付着量センサ１０８は、発光部が赤外発光ダイオード、拡散反射光受光部がフォトダイオードの、フォトダイオードの受光量に応じたレベルの電圧Ｖｓ即ち検出信号を発生し出力するもの、即ち、拡散反射光光量を測定するトナー濃度センサ、である。
【００４４】
定着装置１２０の定着ローラの内部には、定着ヒータ（ハロゲンランプ）１２３Ｃがあり、この定着ヒータ１２３Ｃに、定着通電回路８５（図４）が通電し、これにより定着ヒータ１２３Ｃが発熱し且つ赤外線を発生して、定着ローラを加熱する。
【００４５】
図３に、図１に示す複写機の電気系システムの概要を示す。複写機メカ制御部すなわち画像読取りおよび画像形成プロセス制御の主要部に、メイン制御板５０上の１つのＭＰＵ(Micro Processing Unit)５１と、スキャナ制御板１１上の１つのＣＰＵ(Center Processing Unit)１２が用いられている。ＭＰＵ５１は作像シーケンスおよび定着制御とシステム関係の制御を、ＣＰＵ１２はスキャナ関係の制御をそれぞれ行う。ＭＰＵ５１とＣＰＵ１２とは、画像データインターフェース及びシリアルインターフエースによって接続されている。
【００４６】
また、図３において、２０は操作部、７０は入出力電気回路を搭載したＩ／Ｏ制御板、９２は画像露光用のレーザ光を制御するＬＤ制御板、４１は給紙制御板、１３はＣＣＤを搭載する読み取り制御板、９０はマザーボードである。
【００４７】
６０は、パソコン，ワープロなどホストのドキュメントを印刷するプリンタ機能及びコピー，ファクシミリ，プリンタの複合動作モードを制御するためのプリンタコントローラ（ボード）である。９１は、複合機能を実現するためのアプリケーション拡張ユニットで、ＦＡＸ機能を搭載したファクシミリ制御ユニット（ＦＣＵ）である。８０はＤＣ電源／ＡＣ制御板である。
【００４８】
図４に、電源装置８０から、定着ヒータ１２３Ｃ，Ｉ／Ｏ制御板（入出力インターフエイス）７０，メイン制御板（メインコントローラ）５０，マザーボード９０及びプリンタコントローラ６０への給電系統の概要、ならびに、プリンタコントローラ６０の概要を示す。
【００４９】
図４を参照すると、画像形成プロセスを制御するメイン制御板５０には、ＭＰＵ５１、ＣＰＵ周辺ＡＳＩＣ(Application Specific IC)５４、画像処理ＡＳＩＣ５３、およびプリンタコントローラ６０とのインターフェイス機能および画像データの圧縮伸張機能を有したＩ／Ｆ（インターフェイス）５２がある。
【００５０】
システムの制御を司るプリンタコントローラ６０には、複合機能を実現するためのＭＰＵ６１とメイン制御板５０とのインタ−フェイスと操作部との通信機能およびメモリの制御機能を有した周辺ＡＳＩＣ６４およびその他がある。
【００５１】
原稿を光学的に読み取る原稿スキャナ１０は、読み取りユニットにて、原稿に対するランプ照射の反射光をミラー及びレンズにより受光素子に集光する。受光素子（ＣＣＤ）は、センサー・ボード・ユニット（ＳＢＵ）１３にあり、ＣＣＤに於いて電気信号に変換された画像信号は、ＳＢＵ１３上でデジタル信号すなわち読取った画像デ−タに変換された後、ＳＢＵ１３から、メイン制御板５０上の画像処理ＡＳＩＣ５３に出力される。
【００５２】
ＳＢＵ１３からの読取り画像デ−タは、画像処理ＡＳＩＣ５３に転送され、画像処理ＡＳＩＣ５３が、光学系及びデジタル信号への量子化に伴う信号劣化（スキャナ系の信号劣化：スキャナ特性による読取り画像デ−タの歪）を補正し、該画像デ−タをプリンタコントローラ６０に転送してメモリＭＥＭ６５に書込む。又は、プリンタ出力のための処理を施してプリンタ１００のＬＤ制御板９２に与える。
【００５３】
すなわち、画像処理ＡＳＩＣ５３には、読取り画像デ−タをメモリＭＥＭ６５に蓄積して再利用するジョブと、メモリＭＥＭ６５に蓄積しないでＬＤ制御板９２上のビデオ・データ制御（ＶＤＣ）に出力してレ−ザプリンタ機能で作像出力するジョブとがある。メモリＭＥＭ６５に蓄積する例としては、１枚の原稿を複数枚複写する場合、スキャナ１０を１回だけ動作させ、読取り画像デ−タをメモリＭＥＭ６５に蓄積し、蓄積データを複数回読み出す使い方がある。メモリＭＥＭ６５を使わない例としては、１枚の原稿を１枚だけ複写する場合、読取り画像デ−タをそのままプリンタ出力用に処理すれば良いので、メモリＭＥＭ６５への書込みを行う必要はない。
【００５４】
まず、メモリＭＥＭ６５を使わない場合、画像処理ＡＳＩＣ５３は、読取り画像データに画像読取り補正を施してから、面積階調に変換するための画質処理を行う。画質処理後の画像データはＬＤ制御板９２上のＶＤＣに転送する。面積階調に変化された信号に対し、ドット配置に関する後処理及びドットを再現するためのパルス制御をＶＤＣで行い、レ−ザプリンタ機能によって転写紙上に再生画像を形成する。
【００５５】
メモリＭＥＭ６５に蓄積し、それからの読み出し時に付加的な処理、例えば画像方向の回転，画像の合成等を行う場合は、画像読取り補正を施した画像データは、プリンタコントローラ６０の、画像メモリアクセス制御機能がある周辺ＡＳＩＣ６４に送られる。ここではＭＰＵ６１の、フラッシュＥＥＰＲＯＭに格納された動作プログラムに従った制御によって、画像データとメモリモジュ−ルＭＥＭ６５のアクセス制御，外部パソコンＰＣのプリント用データの展開（文字コ−ド／キャラクタビット変換），メモリ有効活用のための画像データの圧縮／伸張を行う。周辺ＡＳＩＣ６４へ送られたデータは、データ圧縮後ＭＥＭ６５へ蓄積し、蓄積データを必要に応じて読み出す。読み出しデータは伸張し、本来の画像データに戻し周辺ＡＳＩＣ６４から画像処理ＡＳＩＣ５３へ戻される。
【００５６】
画像処理ＡＳＩＣ５３へ戻されると、そこで画質処理を、そしてＬＣＤ制御板９２上のＶＤＣでのパルス制御を行い、レーザプリンタ機能によって転写紙上に顕像（トナ−像）を形成する。
【００５７】
複合機能の１つであるＦＡＸ送信機能は、原稿スキャナ１０の読取り画像データを画像処理ＡＳＩＣ５３にて画像読取り補正を施し、ＦＡＸ制御ユニット（ＦＣＵ）９１へ転送する。ＦＣＵ９１にて公衆回線通信網へのデータ変換を行い、該通信網へＦＡＸデータとして送信する。ＦＡＸ受信は、通信網からの回線データをＦＣＵ９１にて画像データへ変換し、画像処理ＡＳＩＣ５３へ転送する。この場合特別な画質処理は行わず、ＬＣＤ制御板９２上のＶＤＣにおいてドット再配置及びパルス制御を行い、レーザプリンタ機能によって転写紙上に顕像を形成する。
【００５８】
メイン制御板５０のＭＰＵ５１は、画像データの流れを制御し、システムコントローラ６０のＭＰＵ６１はシステム全体を制御し、各リソースの起動を管理する。このデジタル複合機能複写機の機能選択は、操作部２０にて選択入力し、コピー機能，ＦＡＸ機能等の処理内容を設定する。
【００５９】
プリンタコントローラ６０の電源は、休止モード時でも通電状態にある＋５ＶＥが供給される。メイン制御板５０には、休止モード時に通電がオフされる＋５Ｖが供給される。Ｉ／Ｏ制御板７０には、同じく休止モード時に通電がオフされる＋５Ｖと＋２４Ｖがそれぞれ供給される。
【００６０】
ＤＣ電源８０には、コンバータ出力の＋２４Ｖと＋５ＶＥ（＋５Ｖの電圧）にそれぞれスイッチ８３，８４が接続されている。これらのスイッチ８３，８４のオン／オフを行うための制御信号がプリンタコントローラ６０からスイッチ８３，８４に与えられる。省エネのための休止モードに移行するとき、プリンタコントローラ６０はこの制御信号でスイッチ８３および８４を共にオフにする。
【００６１】
定着制御８５の目標温度を、トナー像を転写した転写紙の定着処理に定められた定着動作温度として定着ローラの温度をそれに維持する、コピースタートあるいはプリントコマンドに応答して実質上遅れ時間無く画像形成を開始することが出来るスタンバイモード、及び、電力消費を低くするために目標温度を定着動作温度の８０％とし他はスタンバイモードと同様な状態であって操作入力があるとスタンバイモードへの復帰が直ちに行える低電力モード、ではプリンタコントローラ６０は上記制御信号でスイッチ８３および８４を共にオンにしている。
【００６２】
すなわち、休止モードではスイッチ８３，８４がオフで、プリンタコントローラ６０，操作部２０，圧板開閉検知の、複写機使用の可能性を伺わせるオペータの行為又はパソコンＰＣのプリントコマンドを検知するに最小限の電気素子又は回路に＋５ＶＥが継続して印加される。プリンタコントローラ６０においては、該検知を待ちそれに応答してスイッチ８３，８４をオンにする回路ならびに不揮発保持が必要とされるデータを格納するメモリに＋５ＶＥが継続して印加される。
【００６３】
なお、低電力モード時は、全てに電源が供給されており、定着ヒータ１２３Ｃの設定温度のみを下げている。
【００６４】
操作部２０からのキーインデータの解析や表示の制御は、プリンタコントローラ６０のＭＰＵ６１が制御を行い、操作部２０とのインターフェイスは周辺ＡＳＩＣ６４が受け持っている。周辺ＡＳＩＣ６４と操作部２０とは、この実施例では、マザーボード９０とメイン制御板５０およびスキャナ制御板１１を経由して接続されている。プリンタコントローラ６０には、操作部２０と同様にマザーボード９０とメイン制御板５０およびスキャナ制御板１１を経由して圧板開閉検知（図示略）が接続されている。
【００６５】
圧板開閉検知は、ＡＤＦ３０がスキャナに接続されている時には、ＡＤＦ３０の開閉を検出する検知スイッチであり、ＡＤＦ３０の装着が無い時には、原稿押さえ用の圧板の開閉を検出する検知スイッチである。いずれにしても圧板開閉検知は、ＡＤＦ又は原稿押さえ用の圧板が開放状態かどうかを示す信号を発生し、これが、画像処理動作状態，スタンバイモード，低電力モード及び休止モードのいずれの時でも、スキャナ制御板１０，メイン制御板５０及びマザーボード９０を介して、プリンタコントローラ６０の周辺ＡＳＩＣ６４に与えられ、ＭＰＵ６１がこの信号を読み取る。開放状態かどうかを示す信号を表すための電源（＋５ＶＥ）および操作部２０の入力キーのオンを検出して検出信号を発生するための電源（＋５ＶＥ）は、マザーボード９０，メイン制御板５０及びスキャナ制御板１０を介して、プロセスコントローラ６０から、開閉検知スイッチおよび操作部２０に与える。
【００６６】
なお、ＡＤＦ３０を装備する場合、それはスキャナ制御板１１に接続される。ＡＤＦ３０の原稿台に原稿があるか否を検出する原稿センサの検出信号も、スキャナ制御板１０，メイン制御板５０及びマザーボード９０を介して、プリンタコントローラ６０の周辺ＡＳＩＣ６４に与えられ、ＭＰＵ６１がこの信号を読み取る。原稿センサが原稿の有無をあらわす検出信号を発生するための電源（＋５ＶＥ）も、マザーボード９０，メイン制御板５０及びスキャナ制御板１０を介してて、プロセスコントローラ６０から、原稿センサに与える。
【００６７】
ＤＣ電源／ＡＣ制御板８０のＳＷ８３，８４と、多くの電気的負荷が接続されれるＩ／Ｏ制御板７０の間の＋２４Ｖ給電ラインと＋５Ｖ給電ラインのそれぞれに、２組の接点の複式電気リレー８６の各組の接点が介挿されている。＋２４Ｖ給電ラインはリレー接片ａで、＋５Ｖ給電ラインはリレー接片ｂで、それぞれ開閉される。リレー８６の電気コイルには、ＳＷ８３の出力電圧＋２４Ｖが、ドアスイッチ７３を通して印加される。なお、商用交流を定着ヒータ１２３Ｃに供給する定着通電回路８５に、商用交流電圧ラインに介挿した図示しない電気リレーがあり、この電気リレーの電気コイルにも、ドアスイッチ７３を通してＳＷ８３の出力電圧＋２４Ｖが印加される。
【００６８】
ドアスイッチ７３は、プリンタ１００の前面ドアの開によってオフに、閉によってオンに切換えられるインターロックスイッチである。なお、前面ドアの他に、側面ドア又はカバー等の開によっても、ＤＣ電源／ＡＣ制御板８０の電気リレーを開く場合には、それらのドア又はカバーの開閉によって開閉されるスイッチを、ドアスイッチ７３と各電気リレーとの間に直列に介挿する。
【００６９】
図５に、図４に示す電気回路システム上の、ドアスイッチ７３およひ電気リレー８６を含むインターロック回路の、電気リレー８６の接片ａ，ｂの開放遅延を検知する回路構成を示す。インターロック回路は、ドアスイッチ７３と電気リレー８６およびメイン制御板５０上のＭＰＵ５１によって構成される。
【００７０】
プリンタ１００の前面カバーが開くことで、ドアスイッチ７３がＯＦＦし、電気リレー８６および定着通電回路８５内の図示しない電気リレーの、それぞれの電気コイルへの＋２４Ｖの供給が絶たれる。それに伴いリレー８６の接片ａ，ｂがオープンになり、負荷への＋２４Ｖ及び＋５Ｖの供給が絶たれる。
【００７１】
負荷８５は、定着通電回路８５内の図示しない電気リレーである。負荷５及び６はそれぞれ、プリンタ１００に常設の２４Ｖ負荷および５Ｖ負荷である。負荷７及び８はそれぞれ、プリンタ１００にオプションで増設接続され、ＤＣ電源／ＡＣ制御板８０上の＋２４Ｖ出力の第１電源回路および＋５Ｖ出力の第２電源回路より、リレー８６の接片ａおよびｂを介して給電されるものである。
【００７２】
ドアスイッチ７３によりＯＦＦ／ＯＮする＋２４Ｖ、リレー８６の接片ａによりＯＦＦ／ＯＮする＋２４Ｖ及び接片ｂによりＯＦＦ／ＯＮする＋５Ｖは、それぞれ割込信号としてＭＰＵ５１の割込ポートＩＮＴ０，ＩＮＴ１およびＩＮＴ２に入力される。この実施例では、ドアスイッチ７３が閉のとき割込ポートＩＮＴ０は高電位Ｈ、開のとき低電位Ｌである。リレー８６の接片ａが閉のとき割込ポートＩＮＴ１は高電位Ｈ、開のとき低電位Ｌである。リレー８６の接片ｂが閉のとき割込ポートＩＮＴ２は高電位Ｈ、開のとき低電位Ｌである。
【００７３】
操作部２０の表示パネルには、ユーザー及びサービスマンに知らせるべき情報が、ＭＰＵ５１又はＭＰＵ５１を介してＭＰＵ６１により表示される。
【００７４】
ＭＰＵ５１は、前述の省エネのための休止モードを除くモード（前述のスタンバイモード、低電力モード及び画像処理動作モード）を設定している時には、負荷５〜６への給電の何れかをオフからオンへ、又はその逆に切換えるとき、給電負荷に対応する参照値の設定を行う。
【００７５】
図６に、該参照値の設定の内容を示す。ここでＭＰＵ５１は、まず負荷５と７のオン，オフの組合せに対応して、負荷５と７の両方ともにオフとなるときは、参照値Ｔ１ｓに、＋２４Ｖ系無負荷時のリレー接片ａの閉から開への切換り遅延基準値ｔ１０を設定する。負荷５のみオンになるときは遅延基準値ｔ１１を、負荷７のみオンになるときは遅延基準値ｔ１２を、また、負荷５及び７共にオンになるときは遅延基準値ｔ１３を、参照値Ｔ１ｓに設定する（ステップ１〜７）。なお、以下においてカッコ内には、ステップという語を省略して、ステップＮｏ．数字のみを記す。
【００７６】
ここで、基準値ｔ１０は、インターロックスイッチであるドアスイッチ７３の閉から開への切換りにより、リレー８６の電気コイルへの電圧が遮断されてから、＋２４Ｖ系接片ａの、無負荷時の閉から開への切換り遅延時間の仕様値に許容誤差を加えた値、基準値ｔ１１は負荷５のみに給電しているときの接片ａの、閉から開への切換り遅延時間の仕様値に許容誤差を加えた値、基準値ｔ１２は負荷７のみに給電しているときの同様な値、また、基準値ｔ１３は、負荷５および７に給電しているときの同様な値、である。
【００７７】
次にＭＰＵ５１は、負荷６と８のオン，オフの組合せに対応して、負荷６と８の両方ともにオフとなるときは、参照値Ｔ２ｓに、＋５Ｖ系無負荷時のリレー接片ｂの閉から開への切換り遅延基準値ｔ２０を設定する。負荷６のみオンになるときは遅延基準値ｔ２１を、負荷８のみオンになるときは遅延基準値ｔ２２を、また、負荷６及び８共にオンになるときは遅延基準値ｔ２３を、参照値Ｔ２ｓに設定する（８〜１４）。
【００７８】
ここで、基準値ｔ２０は、ドアスイッチ７３の閉から開への切換りにより、リレー８６の電気コイルへの電圧が遮断されてから、＋５Ｖ系接片ｂの、無負荷時の閉から開への切換り遅延時間の仕様値に許容誤差を加えた値、基準値ｔ２１は負荷６のみに給電しているときの接片ｂの、閉から開への切換り遅延時間の仕様値に許容誤差を加えた値、基準値ｔ２２は負荷８のみに給電しているときの同様な値、また、基準値ｔ２３は、負荷６および８に給電しているときの同様な値、である。
【００７９】
図７に、ＭＰＵ５１の、割込ポートＩＮＴ０の電位のＨからＬへの立下り（ドアスイッチ７３の閉から開への変化）に応答したＩＮＴ０割込みＣＡＭ１の内容を示す。オペレータがプリンタ１００の前ドアを開くと、ドアスイッチ７３が閉から開へ変化し、これによって割込ポートＩＮＴ０の電位がＨからＬへ立下ると、ＭＰＵ５１は、割込ポートＩＮＴ０の電位がＨからＬに立下ったのに応答して、ＩＮＴ０割込みＣＡＭ１に進み、タイムカウンタＴ０，Ｔ１およびＴ２を使用する各計時を開始する（２１）。次にＭＰＵ５１は、割込ポートＩＮＴ１またはＩＮＴ２が低レベルＬに立ち下がるのを待つ（２２，２３，２４，２９）。待っている間に、タイムカウンタＴ０を使用する計時値Ｔ０が、接片ａ，ｂの開移動異常判定用の閾値ｔｗ以上になったかをチェックする（３４）。
【００８０】
Ｔ０がｔｗ以上になると、ＭＰＵ５１は、タイマフラグ０をＯＮにする（３５）。即ち、リレー８６の開移動異常を表す情報をメモリに書きこむ。次にＭＰＵ５１は、タイムカウンタＴ０，Ｔ１およびＴ２をリセットして（３６）、操作部２０の表示パネルに、電気リレー８６の開移動異常を表示する（３７，４０）。
【００８１】
Ｔ０がｔｗ以上になる前に割込みポートＩＮＴ１がＨからＬに切換わるとＭＰＵ５１は、タイムカウンタＴ１を使用する計時Ｔ１を停止して（２５）、計時値Ｔ１が接片ａの開放遅れ判定用の参照値Ｔ１ｓ以上かをチェックして（２６）、計時値Ｔ１が参照値Ｔ１ｓ以上であると、タイマフラグ１をＯＮにする（２７）。即ち、リレー８６の接片ａの開放遅れを表す情報をメモリに書きこむ。次にＭＰＵ５１は、接片ｂの開放検知も完了しているかをチェックして（２８）、完了していると、タイムカウンタＴ０，Ｔ１およびＴ２をリセットして（３６）、操作部２０の表示パネルに、電気リレー８６の接片ａの開放遅れを表す情報を表示する（３８，４１）。
【００８２】
加えて、Ｔ０がｔｗ以上になる前に割込みポートＩＮＴ２がＨからＬに切換るとＭＰＵ５１は、タイムカウンタＴ２を使用する計時Ｔ２を停止して（３０）、計時値Ｔ２が接片ｂの開放遅れ判定用の参照値Ｔ２ｓ以上かをチェックして（３１）、計時値Ｔ２が参照値Ｔ２ｓ以上であると、タイマフラグ２をＯＮにする（３２）。即ち、リレー８６の接片ｂの開放遅れを表す情報をメモリに書きこむ。次にＭＰＵ５１は、接片ａの開放検知も完了しているかをチェックして（３３）、完了していると、タイムカウンタＴ０，Ｔ１およびＴ２をリセットして（３６）、操作部２０の表示パネルに、電気リレー８６の接片ｂの開放遅れを表す情報を表示する（３９，４２）。
【００８３】
第１実施例では上述のように、ドアスイッチ７３の開への変化から、各リレー接片ａ，ｂの開放（出力ＯＦＦ）までの各遅れ時間を計測する。またこの構成により、ＯＦＦタイミングだけでなく、各出力の状態監視も行うことができる。シリコンオイルなどの不純物の接点への混入の為に発生した接点異常、回路ショートといった突然発生してしまった不具合などの検知も可能である。
【００８４】
−第２実施例−
第２実施例のハードウエアは、前述の第１実施例と同じである。また、第２実施例のＭＰＵ５１が実施する「参照値設定」の内容も、図６に示す「参照値設定」ＲＤＰの内容と同じである。しかし第２実施例のＭＰＵ５１は、第１実施例の図７に示す「ＩＮＴ０割込み」ＣＡＭ１の内容に加えて、＋２４Ｖ系接点ａと＋５Ｖ系接点ｂの開放遅延の順番の逆転をも検出する。リレー８６の動作が健全な場合は、＋５Ｖ系接点ｂが先に開き、その後に＋２４Ｖ系接点ａが開く。この順番が逆転することは、＋５Ｖ系接点ｂの接点移転の進行または接転溶着もしくは、何等かの負荷回路の異常が考えられる。
【００８５】
図８に、第２実施例のＭＰＵ５１の「ＩＮＴ０割込み」ＣＡＭ２の内容を示す。ここでは、ドアスイッチ７３が閉から開へ変化し、割込ポートＩＮＴ０の電位がＨからＬに立下ったのに応答して、ＭＰＵ５１がタイムカウンタＴ０，Ｔ１およびＴ２を使用する各計時を開始（２１）した後、割込みポートＩＮＴ２がＨからＬに切換るとＭＰＵ５１は、タイムカウンタＴ２を使用する計時Ｔ２を停止するが、このとき、接片ａの開放検知が完了しているかをチェックして（３３）、完了していると、本来は接片ａはまだ開いていないので、＋２４Ｖ系接点ａと＋５Ｖ系接点ｂの開放遅延の順番の逆転があったとして、タイマフラグ３をＯＮにする（４３）。即ち、リレー８６の動作不良および接片ｂの開放遅れを表す情報をメモリに書きこむ。そして、タイムカウンタＴ０，Ｔ１およびＴ２をリセットして（３６）、操作部２０の表示パネルに、リレー８６の動作不良および接片ｂの開放遅れを表す情報を表示する（３７，４４）。第２実施例のその他の機能は、前述の第１実施例と同じである。
【００８６】
−第３実施例−
図９に、第３実施例のインターロック回路と電気リレー８６の閉成遅延検出回路を示す。この閉成遅延検出回路は、図５に示す、第１および第２実施例に共通の開放遅延検出回路の、ＭＰＵ５１の割り込みポートＩＮＴ０，ＩＮＴ１およびＩＮＴ２に、スイッチ信号反転用のインバータ５５，５６および５７を介挿したものである。ＭＰＵ５１の割り込みポートＩＮＴ０，ＩＮＴ１およびＩＮＴ２に与えられるスイッチ信号が、第１実施例のスイッチ信号を反転したものであるので、第３実施例のＭＰＵ５１は、ドアスイッチ７３がＯＦＦからＯＮに切換ったときに、ＩＮＴ０割込みを実行する。
【００８７】
図１０に、第３実施例のＭＰＵ５１による参照値の設定の内容を示す。この第３実施例では、ドアスイッチ７３がＯＦＦからＯＮに切換ったとき、直前の状態ではドアスイッチ７３のＯＦＦによりリレー８６がオフになっており、負荷８５，５〜８のすべてが電源から遮断されている。ドアスイッチ７３がＯＮからＯＦＦに切換ったときにＭＰＵ５１は、負荷５〜８への制御信号を非駆動（消勢）にしているので、ドアスイッチ７３がＯＦＦからＯＮに切換った時にすべての負荷が同時にドアスイッチ７３のＯＦＦの直前のＯＮ状態の付勢状態に復帰することは無い。しかし、各負荷５〜８には、動作電圧が印加されるとリセットパルスを発生する電源オンリセット回路があり、このリセットパルスに応答して初期化動作を行う回路あるいはコントローラがあるので、ドアスイッチ７３がＯＦＦからＯＮに切換ってリレー８６がオフからオンに切換った時に、オプションの負荷７，８がそれぞれ＋２４Ｖ系，＋５Ｖ系給電ラインに接続されているか否かで、各給電ラインに流れる突入電流値が異なり、負荷７，８の接続があるとリレー接片ａ，ｂの見かけ（通電電流値の立ち上がり）での閉成（オン）遅延時間は短くなる。
【００８８】
そこで第３実施例のＭＰＵ５１は、まず負荷７の接続（増設）があるか否に対応して（５１）、負荷７の接続がないときには参照値Ｔ１ｓに遅延基準値ｔ１０ｃを設定し（５２）、負荷７の接続があるときには遅延基準値ｔ１１ｃを設定する（５３）。そして負荷８の接続（増設）があるか否に対応して（５４）、負荷８の接続がないときには参照値Ｔ２ｓに遅延基準値ｔ２０ｃを設定し（５５）、負荷８の接続があるときには遅延基準値ｔ２１ｃを設定する（５６）。
【００８９】
ここで、基準値ｔ１０ｃは、ドアスイッチ７３の開から閉への切換りにより、リレー８６の電気コイルに電圧が印加されてから、＋２４Ｖ系接片ａの、負荷７の接続がないときの開から閉への切換り遅延時間の仕様値に許容誤差を加えた値、基準値ｔ１１ｃは負荷７の接続があるときの＋２４Ｖ系接片ａの開から閉への切換り遅延時間の仕様値に許容誤差を加えた値である。基準値ｔ２０ｃは、ドアスイッチ７３の開から閉への切換りにより、リレー８６の電気コイルに電圧が印加されてから、＋５Ｖ系接片ｂの、負荷８の接続がないときの開から閉への切換り遅延時間の仕様値に許容誤差を加えた値、基準値ｔ２１ｃは負荷８の接続があるときの＋５Ｖ系接片ｂの開から閉への切換り遅延時間の仕様値に許容誤差を加えた値である。なお、ｔ１１ｃ＜ｔ１０ｃ，ｔ２１ｃ＜ｔ２０ｃ，Ｔ１ｓ＜Ｔ２ｓである。
【００９０】
図１１に、第３実施例のＭＰＵ５１の「ＩＮＴ０割込み」ＣＡＭ２ｃの内容を示す。ここでは、ドアスイッチ７３が開から閉へ変化し、割込ポートＩＮＴ０の電位がＨからＬに立下ったのに応答して、ＭＰＵ５１がタイムカウンタＴ０，Ｔ１およびＴ２を使用する各計時を開始（ｃ２１）した後、割込みポートＩＮＴ１がＨからＬに切換るとＭＰＵ５１は、タイムカウンタＴ１を使用する計時Ｔ１を停止するが、このとき、接片ｂの開放検知が完了しているかをチェックして（ｃ２８）、完了していると、本来は接片ｂはまだ開いていないので、＋２４Ｖ系接点ａと＋５Ｖ系接点ｂの開放遅延の順番の逆転があったとして、タイマフラグ３をＯＮにする（ｃ４３）。即ち、リレー８６の動作不良および接片ａの開放遅れを表す情報をメモリに書きこむ。そして、タイムカウンタＴ０，Ｔ１およびＴ２をリセットして（ｃ３６）、操作部２０の表示パネルに、リレー８６の動作不良および接片ａの開放遅れを表す情報を表示する（ｃ３７，ｃ４４）。第３実施例のその他のハードウエアおよび機能は、前述の第１実施例と同様である。
【００９１】
−第４実施例−
第４実施例は、図７に示すＩＮＴ０割込みと同様に、図１１の開放遅延の順番の逆転を検出するステップｃ４３とその結果を表示するステップｃ４４を削除したものであり、その他の機能及びハードウエアは上述の第３実施例と同様である。
【００９２】
【発明の効果】
電源から負荷への給電ラインに介挿されたインターロックスイッチ手段(86)の接点移転の状況を、より正確に、把握出来る。
【図面の簡単な説明】
【図１】  本発明の第１実施例の給電装置を装備したデジタル複写機の外観を示す平面図である。
【図２】  図１に示すカラープリンタ１００の機構概要を示す縦断面図である。
【図３】  図１に示すデジタル複写機の電気系統のシステム構成を示すブロック図である。
【図４】  図３に示すＤＣ電源８０の構成の概要を示すブロック図である。
【図５】  図４に示す電気回路上の、ドアスイッチ７３および電気リレー８６を含むインターロック回路の、電気リレー８６の接片ａ，ｂの開放遅延を検知する回路構成を示す電気回路図である。
【図６】  図４に示すＭＰＵ５１の「参照値設定」ＲＤＰの内容を示すフローチャートである。
【図７】  図４に示すＭＰＵ５１の割込み処理の内容を示すフローチャートである。
【図８】  本発明の第２実施例のＭＰＵ５１の割込み処理の内容を示すフローチャートである。
【図９】  本発明の第３実施例で用いる電気リレー８６の接片ａ，ｂの閉成遅延を検知する回路構成を示す電気回路図である。
【図１０】  第３実施例のＭＰＵ５１の「参照値設定」ＲＤＰｃの内容を示すフローチャートである。
【図１１】  本発明の第３実施例のＭＰＵ５１の割込み処理の内容を示すフローチャートである。
【符号の説明】
１００：カラープリンタ
７３：ドアスイッチ
８６：電気リレー
ａ，ｂ：接片
５，５６，５７：インバータ
【図１】
0004600962.tif 000002
【図２】
0004600962.tif 000003
【図３】
0004600962.tif 000004
【図４】
0004600962.tif 000005
【図５】
0004600962.tif 000006
【図６】
0004600962.tif 000007
【図７】
0004600962.tif 000008
【図８】
0004600962.tif 000009
【図９】
0004600962.tif 000010
【図１０】
0004600962.tif 000011
【図１１】
0004600962.tif 000012